(57)【要約】      （修正有）【課題】  使用時自動的に昇降可能で、簡単かつ迅速に水パイプと接続し、設定が可能で、使用上の便利さを兼ね備えた高圧自動昇降噴霧装置を提供する。【解決手段】昇降インターフェイス２０と、噴射口３０と、上蓋４０と、スプリング５０と、ジョイント６０とを含む高圧自動昇降噴霧装置であって、水の供給を始めると、水圧により昇降インターフェイス２０が上昇して地面から突出すると共に、スプリング５０が圧縮され、水は濾過材２１１４で濾過され、噴射口３０より四周に霧化した水を噴射する。水の供給を停止すると、スプリング５０の弾力によって昇降インターフェイス２０が元の位置に戻され、昇降インターフェイス２０と噴射口３０がこの動作によってブッシュの内部に収納され地面下に収まる。【選択図】      図４
2005305429.tif 000002
【特許請求の範囲】
【請求項１】
ブッシュと、昇降インターフェイスと、噴射口と、上蓋と、スプリングと、ジョイントとを含む高圧自動昇降噴霧装置であって、
前記ブッシュは長桶状で、内部に円筒形の容器室が設けられ、
前記昇降インターフェイスは前記容器室内部に設けられ、
前記噴射口は前記昇降インターフェイスの上端と接続され、前記噴射口の下段には雄ネジが設けられ、前記雄ネジの上に防水スペーサーが設けられ、
前記ブッシュ下側の周辺には複数の雌ネジ穴が設けられ、前記容器室の上端には雌ネジが設けられ、底面中心には前記雌ネジ穴と連通する貫通穴が設けられ、
前記昇降インターフェイスは円棒体の下端に二段の円盤状の突起物を有し、前記円棒体中心部に排水口を形成し、前記排水口の上端に雌ネジを形成すると共に、二段の円盤状の突起物の上方の円盤上に防水スペーサーを設け、
前記上蓋は前記ブッシュの上端に組み合わせられ、上蓋の頭部から底部まで三段階に縮小され、かつ、上蓋の中心部には貫通穴が形成されると共に、三段階の中段の周縁に雄ネジが形成され、その周縁の上段に防水スペーサーが取り付けられ、
前記スプリングは、前記ブッシュの内部に収納され、前記昇降インターフェイスの突起物と前記上蓋の間の空間内で圧縮可能にされ、
前記ジョイントはジョイント本体と、束緊環と、固定環と、袋ナットとを組み合わせ、前記ブッシュの下縁部に設けた雌ネジに連結され、
水の供給を始めると、水圧により前記昇降インターフェイスが上昇して地面から突出すると共に、前記スプリングが圧縮されると同時に前記噴射口より四周に霧化した水を噴射し、水の供給を停止すると、前記スプリングの弾力によって前記昇降インターフェイスが元の位置に戻され、前記昇降インターフェイスと前記噴射口がこの動作によって前記ブッシュの内部に収納され地面下に収まることを特徴とする高圧自動昇降噴霧装置。
【請求項２】
請求項１において、
前記上蓋の中段に設けた防水スペーサーを固定するため、前記ブッシュの容器室の上端に環状の溝を設けたことを特徴とする高圧自動昇降噴霧装置。
【請求項３】
請求項１において、
前記上蓋の中段部分の周縁に設けた防水スペーサーを固定するため、前記昇降インターフェイスの排水口の上端に一段の環状溝を設けたことを特徴とする高圧自動昇降噴霧装置。
【請求項４】
請求項１において、
濾過材を設けるため、前記昇降インターフェイスの排水口の下部に溝を設けたことを特徴とする高圧自動昇降噴霧装置。
【請求項５】
請求項１において、
前記上蓋の中心部の貫通穴内縁下段にゴムスペーサーを設けたことを特徴とする高圧自動昇降噴霧装置。
【請求項６】
請求項１において、
前記上蓋の最上段の周縁上に滑り止めを設けたことを特徴とする高圧自動昇降噴霧装置。
【請求項７】
請求項１において、
前記ジョイントは、ジョイント本体の両端に雄ネジを形成し、一方の雄ネジの内側に不等辺円錐溝を形成し、前記束緊環の周縁は不等辺錐状とし、前記束緊環の大円側には前記固定環を取り付けるための溝を形成し、前記固定環の片側には前記溝に係合する突起を設け、他の片方は錐状に形成したことを特徴とする高圧自動昇降噴霧装置。
【発明の詳細な説明】
【技術分野】
【０００１】
本発明は、高圧自動昇降噴霧装置に関し、特に地面下の設置使用が可能で、水の圧力で昇降インターフェイスを上昇させ、地面上に突出させて水の霧化と噴射を行う高圧自動昇降噴霧装置に関する。
【背景技術】
【０００２】
一般に、伝統式の園芸農場や芝生において使用している噴霧装置は固定式で、供水パイプを地面下に設置し、パイプの適切な位置で三又金具と取り付け金具を連結し、噴霧装置はジョイントのあたま部分に設置し、パイプから水を供給して噴霧装置を経由して水を噴射するようにしている。
【特許文献１】特開平７−８８４６号公報
【発明の開示】
【発明が解決しようとする課題】
【０００３】
しかし、このような噴霧装置は、地面下に設置する場合、噴霧装置から噴射した霧状の水が周囲の物に妨げられ、霧状水が遮断されやすくなる。
【０００４】
その一方、噴霧装置を地面上に突出させる場合は、作業上の妨害となり、不便が発生するおそれがある。
【０００５】
そのため、市場ではすでに数種類の新型噴霧装置が開発され、その中にも昇降噴霧装置があり、これらは使用時噴射口が上昇して霧状水を四周へ噴射し、使用しない時は自動的に収まり、地面下に隠すなどの機能があるが、ほとんどの構成が複雑すぎて、成形、組み合わせが難しい。
【０００６】
さらに、製造コストと値段が高い等の問題がある。
【０００７】
その他、噴霧装置は三又金具とジョイントを結合してパイプと接続しなければいけないため、設置作業は煩雑で、手間がかかり、そのため、実用かつ便利な昇降噴霧装置の開発と製品の改良が望まれていた。
【０００８】
本発明の目的は、使用時自動的に昇降可能で、構造が簡単、成形、組み合わせしやすく、製造コストが少なく、下側周囲に複数の接続パイプが設けられる上に、簡単かつ迅速に水パイプと接続し、設定が可能で、使用上の便利さを兼ね備えた高圧自動昇降噴霧装置を提供することにある。
【０００９】
本発明の他の目的は、内部にほこりや雑物等が進入するのを防ぐことができる防塵機能を有する高圧自動昇降噴霧装置を提供することにある。
【課題を解決するための手段】
【００１０】
前記目的を達成するため、本発明の高圧自動昇降噴霧装置は、ブッシュと、昇降インターフェイスと、噴射口と、上蓋と、スプリングと、ジョイントとを含む高圧自動昇降噴霧装置であって、
前記ブッシュは長桶状で、内部に円筒形の容器室が設けられ、
前記昇降インターフェイスは前記容器室内部に設けられ、
前記噴射口は前記昇降インターフェイスの上端と接続され、前記噴射口の下段には雄ネジが設けられ、前記雄ネジの上に防水スペーサーが設けられ、
前記ブッシュ下側の周辺には複数の雌ネジ穴が設けられ、前記容器室の上端には雌ネジが設けられ、底面中心には前記雌ネジ穴と連通する貫通穴が設けられ、
前記昇降インターフェイスは円棒体の下端に二段の円盤状の突起物を有し、前記円棒体中心部に排水口を形成し、前記排水口の上端に雌ネジを形成すると共に、二段の円盤状の突起物の上方の円盤上に防水スペーサーを設け、
前記上蓋は前記ブッシュの上端に組み合わせられ、上蓋の頭部から底部まで三段階に縮小され、かつ、上蓋の中心部には貫通穴が形成されると共に、三段階の中段の周縁に雄ネジが形成され、その周縁の上段に防水スペーサーが取り付けられ、
前記スプリングは、前記ブッシュの内部に収納され、前記昇降インターフェイスの突起物と前記上蓋の間の空間内で圧縮可能にされ、
前記ジョイントはジョイント本体と、束緊環と、固定環と、袋ナットとを組み合わせ、前記ブッシュの下縁部に設けた雌ネジに連結され、
水の供給を始めると、水圧により前記昇降インターフェイスが上昇して地面から突出すると共に、前記スプリングが圧縮されると同時に前記噴射口より四周に霧化した水を噴射し、水の供給を停止すると、前記スプリングの弾力によって前記昇降インターフェイスが元の位置に戻され、前記昇降インターフェイスと前記噴射口がこの動作によって前記ブッシュの内部に収納され地面下に収まることを特徴とする。
【００１１】
本発明においては、前記上蓋の中段に設けた防水スペーサーを固定するため、前記ブッシュの容器室の上端に環状の溝を設けた構成とすることができる。
【００１２】
本発明においては、前記上蓋の中段部分の周縁に設けた防水スペーサーを固定するため、前記昇降インターフェイスの排水口の上端に一段の環状溝を設けた構成とすることができる。
【００１３】
本発明においては、濾過材を設けるため、前記昇降インターフェイスの排水口の下部に溝を設けた構成とすることができる。
【００１４】
本発明においては、前記上蓋の中心部の貫通穴内縁下段にゴムスペーサーを設けた構成とすることができる。
【００１５】
本発明においては、前記上蓋の最上段の周縁上に滑り止めを設けた構成とすることができる。
【００１６】
本発明においては、前記ジョイントは、ジョイント本体の両端に雄ネジを形成し、一方の雄ネジの内側に不等辺円錐溝を形成し、前記束緊環の周縁は不等辺錐状とし、前記束緊環の大円側には前記固定環を取り付けるための溝を形成し、前記固定環の片側には前記溝に係合する突起を設け、他の片方は錐状に形成した構成とすることができる。
【発明を実施するための最良の形態】
【００１７】
以下、本発明の実施の形態について、図面を参照して説明する。
【００１８】
図１は、本発明の一実施の形態に係る高圧自動昇降噴霧装置の分解斜視図、図２（Ａ）は図１のＡ−Ａ線に沿う断面図、同図（Ｂ）は図１のＢ−Ｂ線に沿う断面図、同図（Ｃ）は図１の上蓋を下面側からみた斜視図である。
【００１９】
本実施の形態は、ブッシュ１０、昇降インターフェイス２０、噴射口３０、上蓋４０、スプリング５０及びジョイント６０が設けらている。
【００２０】
ブッシュ１０は、長桶状とされ、その下端周辺には数個の雌ネジ穴１１が形成され、ブッシュ１０内部には円筒状の容器室１２が設けられている。
【００２１】
容器室１２の上端には環状溝１２１と雌ネジ１２２を設け、内部の底部中央には貫通穴１２３を開け、ブッシュ１０下端周辺の雌ネジ穴１１と連通させている。
【００２２】
昇降インターフェイス２０は円棒体２１で形成され、円棒体２１の下端には二段階段状の環状突起物２２を設け、円棒体２１の中心部には排水口２１１を形成している。
【００２３】
排水口２１１の上端には一段の溝２１１１と雌ネジ２１１２を形成し、円棒体２１の下端には濾過材２１１４を設置するための溝２１１３を設け、円棒体２１下端の二段階段状の環状突起物２２の小円の上に防水スペーサ２３を１つ設置している。
【００２４】
噴射口３０の底部には、雄ネジ３１を形成し、雄ネジ３１の上部には防水スペーサを設けている。
【００２５】
上蓋４０は、上から下まで三段階状に縮小した構造である。
【００２６】
その上蓋４０の内部には、貫通穴４１を開け、貫通穴４１の内側下部にゴムスペーサ４２を設け、そして、三段中最大円の周縁に滑り止め４３を形成し、次大円周縁上に雄ネジ４４を形成し、次大円周縁の上端に防水スペーサ４５を設けている。
【００２７】
ジョイント６０は、ジョイント本体６１と、束緊環６２と、固定環６３と、袋ナット６４とを組み合わせている。
【００２８】
ジョイント本体６１の両端には雄ネジ６１１が一段形成され、その内側には不等辺円錐溝６１１１が形成されている。
【００２９】
束緊環６２の周縁は不等辺錐状とし、この束緊環６２の大円側には固定環６３を取り付けるための溝６２１を設け、固定環６３の片側には溝６２１に係合するための突起６３１を設け、他の片側は錐状面６３２に形成している。
【００３０】
図３は、本発明の一実施の形態に係る高圧自動昇降噴霧装置の全体斜視図で、図４は、図２の縦断面図である。
【００３１】
図３及び図４で示すように、組み合わせたときは噴射口３０の雄ネジ３１を昇降インターフェイス２０、円棒体２１の雌ネジ２１１２に固定し、雄ネジ３１に取り付けていた防水スペーサ３２を円棒体２１の上端に形成した一段の溝２１１１の上に取り付け、スプリング５０の下部を昇降インターフェイス２０上の二段階段状の環状突起物２２の大きいほうの環状突起物に接続する。
【００３２】
そして、昇降インターフェイス２０と噴射口３０とスプリング５０を揃ってブッシュ１０中の容器室１２に入れ、上蓋４０の三段中の中段に形成した雄ネジ４４を上蓋４０の上段（最大段）の周縁に形成した滑り止め４３を利用して、手でまわしてブッシュ１０の容器室１２上部の雌ネジ１２２と螺合させる。
【００３３】
この結果、上蓋４０の中段に取り付けた防水スペーサ４５をブッシュ１０の内側の環状溝１２１に取り付け、これと同時に昇降インターフェイス２０の円棒体２１の上部と噴射口３０を上蓋４０の貫通穴４１の中に入れ、円棒体２１の上部と貫通穴４１内側の下段に取り付けたゴムスペーサ４２に当て、そしてジョイント６０のジョイント本体６１の片端の雄ネジ６１１を不等辺円錐溝６１１１の中に螺合させ固定環６３は束緊環６２の外側と当接させて、固定環６３の突起６３１と束緊環６２の溝６２１と組み合わせ、袋ナット６４とジョイント本体６１を別個の雄ネジ６１１の上に螺合させて、組み合わせが完了する。
【００３４】
図５は、本発明の一実施の形態に係る高圧自動昇降噴霧装置の設置状態を示す断面図で、図６は、本発明の一実施の形態に係る高圧自動昇降噴霧措置の霧噴射作動見取り図である。
【００３５】
図５及び図６で示すように、設置する際、ジョイント６０上の袋ナット６４を緩くし、水パイプの管路７０をジョイント６０に挿し込む。
【００３６】
その後、袋ナット６４を固く締め、この作業を袋ナット６４によりパッキンの固定環６３を束緊環６２に押しつけ、これで束緊環６２を通じて水パイプと管路７０を容易に固定することができる。
【００３７】
この状態で、地面下に埋め、水源を開けると、加圧した水はブッシュ１０の貫通穴１２３から入り、水圧により昇降インターフェイス２０を上昇させ、ブッシュ１０内に設置したスプリング５０は昇降インターフェイス２０の上昇により、上蓋４０と昇降インターフェイス２０上の二段階段状の環状突起物２２の空間に押しつけ圧縮された状態になる。
【００３８】
それと同時に、昇降インターフェイス２０上の円棒体２１と噴射口３０が昇降インターフェイス２０の上昇により、ブッシュ１０の外側へ飛び出し（地面上に飛び出し）、水は濾過材２１１４に濾過され、昇降インターフェイス２０の排水口２１１を経由して、噴射口３０から周辺に霧化された水を噴射する。
【００３９】
水源を切った際は、昇降インターフェイス２０を上昇させる水圧がなく、スプリング５０の弾力により昇降インターフェイス２０は元の位置に戻り、それと同時に昇降インターフェイス２０上の円棒体２１と噴射口３０がブッシュ１０の中に戻ることとなる。
【００４０】
前述の高圧自動昇降噴霧装置によれば、次のような効果がある。
【００４１】
（１）この高圧自動昇降噴霧装置は、使用時自動的に昇降できる。その上、構造は簡単で、手軽に成形、組み合わせすることが可能であり、製造コストを削減できる。
【００４２】
そして、下部の周縁は複数以上のパイプとの接続が可能なジョイントを設置する。よって、簡単かつ迅速に水パイプの管路７０と繋ぐことができ、手軽に設置することができ、使用上の便利性と実用性を実現することができる。
【００４３】
（２）また、上蓋４０の貫通穴４１の内縁下端に付けていたゴムスペーサ４２は、防塵効果があるので、埃や雑物がシステム内部に進入することを防ぐことができる。
【００４４】
本発明は、前記実施の形態に限定されるものではなく、本発明の要旨の範囲内において種々の形態に変形可能である。
【図面の簡単な説明】
【００４５】
【図１】本発明の一実施の形態に係る高圧自動昇降噴霧装置の立体分解斜視図である。
【図２】図２（Ａ）は図１のＡ−Ａ線に沿う断面図、同図（Ｂ）は図１のＢ−Ｂ線に沿う断面図、同図（Ｃ）は図１の上蓋を下端側からみた斜視図である
【図３】本発明の一実施の形態に係る高圧自動昇降噴霧装置の全体斜視図である。
【図４】図２の縦断面図である。
【図５】本発明の一実施の形態に係る高圧自動昇降噴霧装置の設置状態を示す断面図である。
【図６】本発明の一実施の形態に係る高圧自動昇降噴霧装置の霧噴射作動見取り図である。
【符号の説明】
【００４６】
１０  ブッシュ
１１  雌ネジ穴
１２  容器室
２０  昇降インターフェイス
２１  円棒体
２２  二段階段状の環状突起物
２３、３２、４５  防水スペーサ
３０  噴射口
３１、４４、６１１  雄ネジ
４０  上蓋
４１、１２３  貫通穴
４２  ゴムスペーサ
４３  滑り止め
５０  スプリング
６０  ジョイント
６１  ジョイント本体
６２  束緊環
６３  固定環
６４  袋ナット
７０  管路
１２１  環状溝
１２２、２１１２  雌ネジ
２１１  排水口
６２１  溝
６３１  突起
６３２  錘状面
２１１１  一段の溝
２１１３  濾過材を設置するための溝
２１１４  濾過材
【図１】
2005305429.tif 000003
【図２】
2005305429.tif 000004
【図３】
2005305429.tif 000005
【図４】
2005305429.tif 000006
【図５】
2005305429.tif 000007
【図６】
2005305429.tif 000008